(57)【特許請求の範囲】
【請求項１】
所定の容積を有する粉砕室内に、回転切断刃体で生ゴミを細かく粉砕する粉砕機構、及び粉砕室内の粉砕物を含んだ排水の強制排出が可能な排出機構を具備してなり、粉砕室内の上方位置に、目皿を介して設けたオーバーフロー排水部を設け、前記粉砕機構における回転切断刃を装着した回転軸に、前記切断刃体に近接対面して自由回転可能に軸装すると共に、適宜な回転抵抗を備えた粉砕対象物の絡み防止用の羽根体を設けてなることを特徴とする生ゴミ処理装置。
【請求項２】
粉砕室の最下方に設けた目皿開口部に排水管を接続すると共に、排水管に開閉弁を介設してなる全排出部を付設してなる請求項１記載の生ゴミ処理装置。
【請求項３】
排出機構に水中ポンプを採用してなると共に、前記水中ポンプの駆動モータを粉砕機構の駆動モータと兼用してなる請求項１又は２記載の生ゴミ処理装置。
【請求項４】
粉砕室とシンクとの間に、生ゴミ貯留室と、生ゴミ貯留室と粉砕室との間を連結するトラップ配管とで構成する生ゴミ貯留機構を介設してなる請求項１乃至３記載の何れかの生ゴミ処理装置。
【発明の詳細な説明】
【技術分野】
【０００１】
本発明は、デスポーザと称されるシンクに接続して使用したり、或いは携帯したり移動して、任意の箇所で使用することのできる生ゴミ処理装置に関するものである。
【背景技術】
【０００２】
シンクに付設するデスポーザの基本構成は、シンクに連続する粉砕室に粉砕羽根を設け、粉砕室から網目を介して粉砕生ゴミを流出させているものである（特許文献１）。
【０００３】
前記の基本構成においては、粉砕室に手が届く危険性がある（問題点Ａ）、粉砕室内壁に粉砕ゴミが付着して悪臭の原因となり、洗浄を必要とする（問題点Ｂ）、非給水状態でのモータ駆動はモータ焼付けの原因となり、粉砕動作や粉砕ゴミ流出に所定の制御が必要である（問題点Ｃ）、更に粉砕生ゴミの排出が自然流下であり、パイプつまりの虞がある（問題点Ｄ）などの課題がある。
【０００４】
前記の問題点Ｃの対策として、特許文献２に、給水管に流量検出スイッチを設け、シンクに給水している間モータを作動させる構成が開示されており、問題点Ａ，Ｃの同時対策手段として、特許文献３には、粉砕室に蓋を設け、蓋の開閉でスイッチのオンオフを行い、更にモータ作動前を含めた一定時間粉砕室に給水する構成が開示されている。
【０００５】
また粉砕生ゴミの自然流下によるパイプつまり対策（問題点Ｄの対策）として、特許文献４に、デスポーザの排水を固液分離した排水を循環させて使用するジェットポンプで搬送する構成が開示されており、特許文献５には、デスポーザからの排水を、搬送流（空気混合）で所定の箇所に排出する構成が開示されている。
【０００６】
【特許文献１】特開平８−２９００７３号公報第１図。
【特許文献２】特開２００１−２５９４６３号公報。
【特許文献３】特開平９−８５１１９号公報。
【特許文献４】特開２０００−２８２５３５号公報。
【特許文献５】特開２００３−１１３３号公報。
【発明の開示】
【発明が解決しようとする課題】
【０００７】
パイプつまりの対策として、前記した特許文献４，５に開示されている強制排出手段は、既存シンクへのデスポーザ装置と独立した強制排出装置を必要とするため、装置全体の大型化が免れられない。
【０００８】
そこで本発明は、強制排出手段を備えていても装置全体をコンパクトに構成することのでき、また新規な粉砕機構を備えて強制排出を容易に実現することができる新規なシンク用生ゴミ処理装置を提案したものである。
【課題を解決するための手段】
【０００９】
本発明に係る生ゴミ処理装置は、所定の容積を有する粉砕室内に、回転切断刃体で生ゴミを細かく粉砕する粉砕機構、及び粉砕室内の粉砕物を含んだ排水の強制排出が可能な排出機構を具備してなり、粉砕室内に、前記粉砕機構及び排出機構の各動作制御を行うための検知水位が相違する適宜な水位センサを設けると共に、粉砕室内の上方位置に、目皿を介して設けたオーバーフロー排水部を設け、前記粉砕機構における回転切断刃を装着した回転軸に、前記切断刃体に近接対面して自由回転可能に軸装すると共に、適宜な回転抵抗を備えた粉砕対象物の絡み防止用の羽根体を設けてなることを特徴とするものである。
【００１０】
従って、粉砕室内に投じられた生ゴミは、粉砕機構で粉砕されると同時に、粉砕物は、粉砕室内から排水と共に強制排出されることになり、この排出力によってパイプつまりを生じさせず、デスポーザ装置として機能するものであり、更に目皿付きのオーバーフロー排水部によって、粉砕室に流れ込む水量が多い場合にはオーバーフロー部から排水されると共に、粉砕機構及び排出機構を作動させずにデスポーザ装置として使用しない場合には、オーバーフロー排水部から排水されるものである。また回転切断刃体の回転で粉砕室内の排水が渦流状態となり、これに伴なって羽根体が回転抵抗を備えることによって回転切断刃体より遅い速度で回転することになり、切断刃部に到達する生ゴミの量を制限すると共に、葱のような長繊維である生ゴミが直接回転刃部に到達して回転切断刃体に絡まないようにしている。
【００１１】
また本発明（請求項２）に係る生ごみ処理装置は、粉砕室の最下方に設けた目皿開口部に排水管を接続すると共に、排水管に開閉弁を介設してなる全排出部を付設してなるもので、粉砕機構及び排出機構を作動させずにデスポーザ装置と使用しない場合には、粉砕動作時には閉じられている全排出部の開閉弁を開放して、オーバーフロー排出部からの排水を待たずに、粉砕室を単なる排水通路として使用することができるものである。
【００１４】
また本発明（請求項３）は、排出機構に水中ポンプを採用してなると共に、前記水中ポンプの駆動モータを粉砕機構の駆動モータと兼用した構成で、装置全体のより以上の小型化が実現する。
【００１５】
また本発明（請求項４）に係る生ゴミ処理装置は、前記のゴミ処理装置において、粉砕室とシンクとの間に、生ゴミ貯留室と、生ゴミ貯留室と粉砕室との間を連結するトラップ配管とで構成する生ゴミ貯留機構を介設してなり、生ゴミを一旦貯留室に貯めて、一気に排水と共に粉砕排出機構部（生ゴミ処理装置）に送り、生ゴミ処理を行うものである。
【発明の効果】
【００１６】
以上のとおり本発明は、粉砕室内に水中ポンプ又は強制排出用ポンプなど強制排出機構を設けることで、単にシンクに本発明装置を組み込むのみで、粉砕生ゴミの強制排出が実現し、パイプつまりの発生を防止し、更にオーバーフロー排水部を設けることで、通常排水とデスポーザ装置を兼用できるものである。
【００１７】
更に全排水部を付設することで（請求項２）、粉砕室内に排水を滞留させることなく、通常排水として使用することもできる。
【００１８】
また特に切断刃部に近接対面する自由回転の羽根体とを備えることで（請求項３）、切断刃体への生ゴミの絡みつきを防止して、生ゴミの確実な粉砕を実現する。
【００１９】
更に排出機構に水中ポンプを採用すると共に、前記のポンプ駆動モータを生ゴミ粉砕用のモータとを兼用させることで（請求項４）、装置全体の更なる小型化を実現する。
【００２０】
さらに粉砕室とシンクの間にトラップ管を備えた生ゴミ貯留機構を設けると（請求項５）、生ゴミ粉砕室からの臭いがシンクに立ち上るのを遮断できる。
【発明を実施するための最良の形態】
【００２１】
次に本発明の実施の形態について説明する。実施形態に示した生ゴミ処理装置は、粉砕排出機構部１と、生ゴミ貯留機構部２とで構成されている。
【００２２】
粉砕排出機部１は、粉砕室１１内に設けた粉砕排出部１２及び水位センサ１３と、粉砕室１１に配設された投入部１４、オーバーフロー排水部１５及び全排出部１６で構成される。
【００２３】
粉砕室１１は、一回の粉砕対象ゴミ量で定められる適宜容積としたものである。
【００２４】
粉砕排出部１２は、水中ポンプ１２１と、切断刃部１２２と、羽根体１２３と、ポンプ排出管１２４と、循環管（循環機構）１２５とを備えている。
【００２５】
水中ポンプ１２１は、回転軸の周囲部分に吸引口を備え、吸引口の直前に切断刃部１２２を配置したものである。切断刃部１２２は、回転軸に装着した回転切断刃体１２２ａと、回転切断刃体１２２ａと摺合する固定切断刃体１２２ｂとで構成し、両切断刃体の鋏作用で生ゴミを切断して粉砕するものである。特に固定切断刃体１２２ｂは吸引口の周囲に立ち上げた筒状部の開口個所に差し渡して設けている。
【００２６】
羽根体１２３は、切断刃部１２２に近接対面（吸引口と反対側）して、自由回転可能に回転軸に軸装したもので、回転平面と平行な平板とせずに、適宜な回転抵抗を備える形状としたものである。
【００２７】
ポンプ排出管１２４は、下水管等の装置外の排出箇所に連結してなるものである。循環管１２５は、前記排出管１２４から分岐してなり、排水を粉砕室１１に戻すもので、ポンプ排出管１２４より小径で且つ立ちあがり部分を設けたり、或いは開閉弁などを介設して、排水量が少なくなった場合に自然に或いは弁制御によって循環の停止を行うものである。
【００２８】
水位センサ１３は、粉砕室１１内の水位を検知するもので、制御対象に対応した水位箇所に設置しておくもので、少なくとも粉砕排出部１２の駆動開始のための上位センサ１３１と、同停止のための下位センサ１３２を設けている。
【００２９】
投入部１４は、粉砕室１１の上部に設けたもので、生ゴミＡの流入口となるもので、本実施形態においては、生ゴミ貯留機構部２と連絡しているな。
【００３０】
オーバーフロー排水部１５は、粉砕室１１の上方部分に、目皿開口部１５１を設け、当該目皿開口部１５１に排水管１５２を接続したものである。
【００３１】
全排出部１６は、粉砕室１１の最下方に設けた目皿開口部１６１に排水管１６２を接続し、更に排水管１６２に開閉弁１６３を介設したものである。
【００３２】
生ゴミ貯留機構２は、シンクＢ底面の適宜箇所に、開閉蓋２１を設けた生ゴミ貯留室２２と、生ゴミ貯留室２２内の生ゴミＡを一気に流出させることができる給水部（給水タンク２３と開閉弁２４と給水管２５で形成されている）と、生ゴミ貯留室２２の最下部と前記投入部１４とを連絡し、且つサイフォン作用が発揮されるトラップ配管２６で構成される。
【００３３】
尚前記の生ゴミ貯留機構２においては、給水部を備えずに、シンクからの任意の排水によって給水部と同様の作用を実施するようにしても良い。
【００３４】
また前記水中ポンプ１２１の駆動モータの動作制御を、水位センサ１３の検知で行うためや、各部の弁の開閉動作の指示など制御を行うための制御回路等の適宜な制御手段は、必要に応じて備えるようにすれば良い。
【００３５】
而してシンクＢの底面に設けられた生ゴミ貯留室２２の開閉蓋２１を開いて生ゴミＡを投入し、開閉蓋２１を閉じて動作開始の指示（制御部に設けたスイッチを入れる）によって、開閉弁２４が開いて給水タンク２３から所定量の運搬水が供給され、生ゴミＡは運搬水と共に、トラップ配管２６を通って粉砕室１１に入る。給水部を備えていない場合には、開閉蓋２１を開いた状態でシンクに必要量の水を流すことで、生ゴミＡを粉砕室１１に送り込むことができる。
【００３６】
生ゴミ貯留室２２の生ゴミＡが粉砕室１１に流出させると、トラップ配管２６によって粉砕室１１と生ゴミ貯留室２２との間を水封することになり、粉砕室１１からの生ゴミの臭いが遮断されることになる。
【００３７】
粉砕室１１内においては、上位センサ１３１が粉砕室１１の水位を検知すると、水中ポンプ１２１が動作して切断刃部１２２で生ゴミＡを細かく切断して粉砕すると共に、粉砕物は水中ポンプ１２１で、排水と共に、ポンプ排出管１２４より所定の箇所（下水管等）に排出される。勿論水中ポンプ１２１の吸引側には、所定大きさ以下の粉砕物のみを吸引するスクリーンを設けていることは当然である。
【００３８】
そして粉砕物と排水の全てを排出して、下位センサ１３２で粉砕室１１の水位が最低水位であることを検知すると、水中ポンプ１２１を停止させる。これによって生ゴミＡは、粉砕されて強制的に排出されることになるので、粉砕物による排水管のつまりが仮に生じたとしても、次の強制排水の圧力で、つまりが解消されることになる。
【００３９】
尚粉砕室１１の水位が予定水位より高い場合は、オーバーフロー排水部１５から排出される。
【００４０】
また前記の粉砕物の排出に際して、排水の一部が循環管１２５を通じて再度粉砕室１１に戻し、排出水の一部を循環させることで、粉砕時間を確保するようにしても良い。この循環機構は必ずしも必要とはしない。
【００４１】
また粉砕室１１での粉砕動作を行わないような場合（通常の排水のみに使用する場合）には、粉砕動作時には閉じられている全排出部１６の開閉弁１６３を開放し、粉砕室１１を単なる排水通路として使用することができる。
【００４２】
尚前記実施形態で示した生ゴミ貯留機構２をシンクＢとの間に介在させたが、前記粉砕排出機構部のみで本発明の生ゴミ処理装置としても良く、その場合には投入部１４には、開閉蓋を付設するなど安全上の配慮が必要である。
【００４３】
更に、本発明装置は、必ずしもシンクに固定的に接続したものとせずに、生ゴミ貯留機構と共に、或いは粉砕排出機構部単独で、移動可能な装置として、携帯したり、屋内で移動させて使用することもできる。
【００４４】
また構造上も、図２に例示するとおり、本発明は、粉砕室１１内の粉砕排出部１２の粉砕機構を、水中ポンプ１２１のモータを使用せずに独自のモータ１２６を使用する構造としても良い（尚図示番号は図１と共通のものである）。
【００４５】
更に本発明は、図３に例示するとおり、排出機構に水中ポンプを採用せずに、粉砕機構の駆動モータ１２６に、排出用羽根１２７を付設すると共に、当該羽根１２７の周囲を羽根１２７の回転で高められた粉砕物含有水を排出管１２８に押し出すような形状として強制排出機構を採用しても良い。
【図面の簡単な説明】
【００４６】
【図１】本発明の実施形態の簡易な断面図。
【図２】同粉砕排出機構の第一別例図。
【図３】同粉砕排出機構の第二別例図。
【符号の説明】
【００４７】
１        粉砕排出機部
１１      粉砕室
１２      粉砕排出部
１２１      水中ポンプ
１２２      切断刃部
１２２ａ    回転切断刃体
１２２ｂ    固定切断刃体
１２３      羽根体
１２４      ポンプ排出管
１２５      循環管
１２６      駆動モータ
１２７      排出用羽根
１２８      排出管
１３      水位センサ
１３１      上位センサ
１３２      下位センサ
１４      投入部
１５      オーバーフロー排水部
１５１      目皿開口部
１５２      排水管
１６      全排出部
１６１      目皿開口部
１６２      排水管
１６３      開閉弁
２        生ゴミ貯留機構
２１      開閉蓋
２２      生ゴミ貯留室
２３      給水タンク
２４      開閉弁
２５      給水管
２６      トラップ配管
【図１】
0004699703.tif 000002
【図２】
0004699703.tif 000003
【図３】
0004699703.tif 000004